(57)【要約】      （修正有）【課題】  始動時の操作性をより向上させうるスタータ装置及び駆動式作業機を提供する。【解決手段】操作者が保持した状態で使用される原動機１１に装着され、リコイルロープ１５を引張することより原動機１１を始動させうる駆動力を供給して原動機１１を始動させるスタータ装置１４であって、上記リコイルロープ１５は、上記操作者から離間して配置された掛け回し部を介して引張可能に形成されている。【選択図】  図１
2007255222.tif 000002
【特許請求の範囲】
【請求項１】
操作者が保持した状態で使用されるエンジンに装着され、リコイルロープを引張することによりエンジンを始動させうる駆動力を供給してエンジンを始動させるスタータ装置であって、
上記リコイルロープは、上記操作者から離間して配置された掛け回し部を介して引張可能に形成されていることを特徴とするスタータ装置。
【請求項２】
上記リコイルロープは、リコイルロープ本体部と、上記リコイルロープ本体部に延設された延設ロープ部とにより構成され、上記延設ロープ部は上記掛け回し部に掛けまわされ、操作者により引張操作がされるように構成されていることを特徴とする請求項１記載のスタータ装置。
【請求項３】
原動部と、上記原動部から供給される駆動力により作動し所定の作業を行いうる駆動部と、上記所定の作業を行うために操作者が操作する操作部とを有し、上記原動部及び駆動部を操作者が保持した状態で上記操作部を操作して所定の作業を行うように構成された駆動式作業機であって、
上記原動部は、エンジンと、リコイルロープを引張することにより上記エンジンを始動
させうる駆動力を供給して上記エンジンを始動させるスタータ装置とを備え、
上記リコイルロープは、上記操作者から離間して操作部に配置された掛け回し部を介して引張可能に形成され、上記掛け回し部は滑車装置により構成されていることを特徴とする駆動式作業機。
【請求項４】
上記リコイルロープは、リコイルロープ本体部と、このリコイルロープ本体部に延設された延設ロープ部とにより構成され、
上記滑車装置は、操作者から離間して配置された定滑車部と、この定滑車部よりも操作者に近接して配置され、上記リコイルロープ本体部に接続された動滑車部とにより構成されると共に、
上記延設ロープ部は、基端部が上記定滑車部に固定され、上記動滑車部に設けられた動滑車に掛けまわされ、かつ、上記定滑車部に設けられた定滑車に掛けまわされ、先端部が上記定滑車から操作者方向へ引張しうるように構成配置され、
操作者が、上記先端部を引張した場合には、上記動滑車部が上記定滑車部方向に移動することにより、上記リコイルロープ本体部を引張するように構成されていることを特徴とする請求項３記載の駆動式作業機。
【発明の詳細な説明】
【技術分野】
【０００１】
本発明は、スタータ装置及び駆動式作業機に係り、特に、操作者が保持して各種の作業に使用しうる駆動式作業機及びこの駆動式作業機に使用されるスタータ装置に関する。
【背景技術】
【０００２】
従来より、操作者が背中等に背負って、草刈、農薬噴霧等の各種作業を行うために使用される駆動式作業機が提案されている。
この種の駆動式作業機は、一般的には、空冷の２サイクルエンジンを原動部として使用し、上記原動部と、上記原動部から供給される駆動力により作動し、各種の作業を行いうるブロアもしくは草刈刃等の駆動部と、上記所定の作業を行うために操作者が操作する操作部とを有し、上記原動部及び駆動部を操作者が保持した状態で上記操作部を操作して所定の作業を行うように構成されている。
【０００３】
例えば、肩掛け式の草刈り機にあっては、エンジン及びスタータ装置により構成された原動部を背負い、上記原動部に接合された、細長棒状に形成され先端部に回転する草刈刃が配設された棒状操作部を把持して、草刈作業を行うものである（特許文献１参照）。
【０００４】
この場合、肩掛け式草刈機等の、原動部を操作者自らが背負う等により保持した状態で所定の作業を行う駆動式作業機式にあっては、細長筒状に形成された操作部を両手または片手で保持して作業を行うものであり、この細長筒状の操作部を手で保持した状態のままスタータ操作を行いエンジンの始動ができれば、より操作性が向上し、極めて便利である。
【特許文献１】特開２００４−６８６３９号公報
【発明の開示】
【発明が解決しようとする課題】
【０００５】
本発明は、このような従来の課題を解決するためになされたものであって、その課題
は、始動時の操作性をより向上させうるスタータ装置及び駆動式作業機を提供することに
ある。
【課題を解決するための手段】
【０００６】
このような課題解決のため請求項１記載の発明にあっては、操作者が保持した状態で使
用されるエンジンに装着され、リコイルロープを引張することによりエンジンを始動させ
うる駆動力を供給してエンジンを始動させるスタータ装置であって、上記リコイルロープは、上記操作者から離間して配置された掛け回し部を介して引張可能に形成されていることを特徴とする。
【０００７】
従って、請求項１記載の発明にあっては、エンジンを保持した状態において操作者はリコイルロープを引張することによりスタータ操作を行いエンジンの始動を行うことができる。
請求項２記載の発明にあっては、上記リコイルロープは、リコイルロープ本体部と、上記リコイルロープ本体部に延設された延設ロープ部とにより構成され、上記延設リコイルロープ部は上記掛け回し部に掛けまわされ、操作者により引張操作がされるように構成されていることを特徴とする請求項１記載のスタータ装置として構成されている。
【０００８】
従って、請求項２記載の発明にあっては、操作者は上記延設ロープ部を把持して引張することによりエンジンの始動操作を行うことができる。
【０００９】
請求項３記載の発明にあっては、原動部と、上記原動部から供給される駆動力により作動し所定の作業を行いうる駆動部と、上記所定の作業を行うために操作者が操作する操作部とを有し、上記原動部及び駆動部を操作者が保持した状態で上記操作部を操作して所定の作業を行うように構成された駆動式作業機であって、上記原動部は、エンジンと、リコイルロープを引張することにより上記エンジンを始動させうる駆動力を供給して上記エンジンを始動させるスタータ装置とを備え、上記リコイルロープは、上記操作者から離間して操作部に配置された掛け回し部を介して引張可能に形成され、上記掛け回し部は滑車装置により構成されていることを特徴とする。
【００１０】
従って、請求項３記載の発明にあっては、操作者は上記駆動式作業機の始動を行う場合には、上記リコイルロープを、滑車装置により構成された上記掛け回し部を介して引張することによりエンジンの始動操作を行うことができる。
この場合、滑車装置を定滑車部のみにより構成することもできれば、また、定滑車部と動滑車部との組み合わせにより構成することもできる。
例えば、１基の定滑車部と１基の動滑車部との組み合わせにより構成した場合には、リコイルロープの引き出し量は１基の定滑車部のみにより構成した場合に比して２倍になるが、リコイルロープに作用する荷重は１基の定滑車部のみにより構成した場合に比して半分となる。
従って、上記掛け回し部を構成する滑車装置の構成に関しては、リコイルロープの引き出し量は大きくとも小さな荷重によりリコイルロープの引き出し操作を行うように構成するか、又は、大きな荷重であっても小さな引き出し量によりリコイルロープの引張操作を行うようにするか、という異なるコンセプトに基づき製品構成を変更することができる。
【００１１】
請求項４記載の発明にあっては、上記リコイルロープは、リコイルロープ本体部と、このリコイルロープ本体部に延設された延設ロープ部とにより構成され、上記滑車装置は、操作者から離間して配置された定滑車部と、この定滑車部よりも操作者に近接して配置され、上記リコイルロープ本体部に接続された動滑車部とにより構成されると共に、上記延設ロープ部は、基端部が上記定滑車部に固定され、上記動滑車部に設けられた動滑車に掛けまわされ、かつ、上記定滑車部に設けられた定滑車に掛けまわされ、先端部が上記定滑車から操作者方向へ引張しうるように構成配置され、操作者が、上記先端部を引張した場合には、上記動滑車部が上記定滑車部方向に移動することにより、上記リコイルロープ本体部を引張するように構成されていることを特徴とする。
【００１２】
従って、請求項４記載の発明にあっては、操作者は、上記定滑車部を介して延設ロープ部を操作者方向へ引張することにより、動滑車部が定滑車部へ近接して移動することによりリコイルロープ本体部を引張してスタータを操作することによりエンジンの始動を行うことができる。
【発明の効果】
【００１３】
請求項１及び２記載の発明にあっては、スタータ装置の始動時に際し、操作者はリコイルロープを、上記掛け回し部を介して、引張することによりスタータ装置を作動させることができることから、例えば、本発明に係るスタータ装置が肩掛け式草刈機等の、原動部を操作者自らが背負う等により保持した状態で所定の作業を行う駆動式作業機式に適用された場合にあっては、細長筒状に形成された操作部を両手または片手で保持して作業を行うものであり、この細長筒状の操作部を一方の手で保持した状態のまま他方の手でスタータ操作を行いエンジンの始動ができるため、より操作性が向上し、極めて便利である。
【００１４】
また、請求項３記載の発明にあっては、請求項１及び２記載の発明の効果に加えて、原動部を操作者自らが保持した状態で作業を行うように構成された駆動式作業機式にあっては、細長筒状に形成された操作部を両手または片手で保持して作業を行うものであるが、細長筒状の操作部を手で保持した状態のまま他の手によりスタータ操作を行いエンジンの始動ができることから、より操作性が向上する。
【００１５】
また、請求項３記載の発明にあっては、リコイルロープが滑車装置を介して掛けまわされていることから、円滑にリコイルロープを引張して、スタータの操作を容易に行うことができる。
さらに、上記のように、滑車装置を定滑車部のみにより構成することもできれば、また、定滑車部と動滑車部との組み合わせにより構成することもでき、小さな荷重によりリコイルロープの引き出し操作を行うように構成するか、又は大きな荷重であっても小さな引き出し量によりリコイルロープの引張操作を行うようにするか、という選択に基づき構成を自由に変更することができるため、製品構成の自由度を確保することができる。
【００１６】
また、請求項４記載の発明にあっては、以下のような効果を奏する。
即ち、従来の肩掛け式草刈機にあっては、一般的に、リコイルロープは背負われた原動部から前方方向又は下方方向等の操作者の身体から離間する方向へ向けて引張してスタータ装置を駆動させるように構成されていたことから、操作者は腕を伸ばしながらリコイルロープを操作しなければならなかった。
【００１７】
この場合、一般的に、腕の筋肉のうち、腕を伸ばす際に使用する筋肉である「伸筋」を使用する場合には、腕を曲げる際に使用する「屈筋」を使用する場合よりも力を入れにくい。従って、上記のような従来の駆動式作業機にあっては、全てが「伸筋」を使用するように構成されていたことから、リコイルロープを引く操作を行う際に所定の力を要し、操作性の点でより軽い力で操作したい、という要請があった。
【００１８】
請求項４記載の発明にあっては、リコイルロープに接続された延設ロープ部を操作者の方向に引張することによりスタータ装置を駆動させるように構成されていることから、上記のように腕の「屈筋」を使用してリコイルロープの引き出し操作を行うことができ、リコイルロープの引き出し操作に際し、腕の力を入れやすく、その結果、スタータ操作を容易に行うことが可能となる。
【００１９】
さらに、請求項４記載の発明にあっては、上記滑車装置が定滑車部と動滑車部とにより構成され、延設ロープ部を引張することにより、リコイルロープ本体部に接合された動滑車部が定滑車部方向へ移動することによりリコイルロープ本体部を引張することから、リコイルロープ本体部に作用するエンジンのクランクプーリの作動荷重が定滑車部及び動滑車部によって分散支持されることにより、容易且つ円滑にスタータ操作及びエンジンの始動作業を行うことができる。
即ち、請求項４記載の発明にあっては、定滑車部のみにより滑車装置を構成し、定滑車部にリコイルロープを巻装して引張する場合の荷重に比して、動滑車部が設けられていることにより、リコイルロープを引く際に作用する荷重が半分となり、定滑車部のみにより構成した場合の引き荷重よりも小さな荷重でリコイルロープの引き操作を行うことができる。
【発明を実施するための最良の形態】
【００２０】
以下添付図面に示す実施の形態に基づき、本発明に係るスタータ装置を、蓄力式スター
タ装置として構成し、駆動式作業機としての肩掛け式の草刈機に適用した場合を例に詳細に説明する。
【００２１】
図１及び図２に示すように、本実施の形態に係る駆動式作業機である肩掛け式の草刈機
１０は、原動部１１と、上記原動部１１から供給される駆動力により作動する草刈刃１２
が先端部に配設された、操作者が把持して操作する操作部としてのアーム部１３と、肩掛
けベルト２３とを備えている。
【００２２】
上記アーム部１３には、操作者がアーム部１３を把持して草払い作業を行う場合に把持するために基端部側に設けられたグリップ部１６と、アーム部１３の中間部に取り付けられた操作ハンドル部３１と、上記アーム部１３において、上記グリップ部１６と上記操作ハンドル部３１との間に固定された肩掛けベルト２３とが設けられている。
上記原動部１１には蓄力式スタータ装置１４が設けられ、蓄力式スタータ装置１４から外方へ延出されたリコイルロープ本体部１５を引張することにより蓄力スプリングに蓄力しうるように構成されている。
【００２３】
上記リコイルロープ本体部１５の一端部は、内装された上記蓄力スプリング（図示せず）に蓄力しうるように配設された駆動リール（図示せず）に固定されると共に、他端部は、上記アーム部１３の上記グリップ部１６を貫通して配設された被覆チューブ１７内に挿通されてアーム部１３に固定され、上記アーム部１３に設けられた掛け回し部１８に接合されている。
【００２４】
上記掛け回し部１８は滑車装置により構成され、上記グリップ部１６と上記操作ハンドル部３１との間に設けられ、操作者から離間して配置された定滑車部１９と、この定滑車部１９よりも操作者に近接して配置された動滑車部２０とにより構成されている。
上記定滑車部１９は、上記操作ハンドル部３１の操作者手前側に固定され、ベルト状の取付具２１と、この取付具２１に、リング部３２を介して固定された側面楕円状のフレーム部２２と、このフレーム部２２に軸部を介して回転可能に取り付けられた滑車２４とからなる。
【００２５】
また、上記動滑車部２０は、一端部が上記リコイルロープ本体部１５に接合されると共に、他端部には軸部を介して滑車を回転可能に保持するフレーム部２７と、このフレーム部２７に回転可能に固定された滑車２６とからなる。
上記定滑車部１９と上記動滑車部２０との間には、延設ロープ２９が掛けまわされて配設されている。この延設ロープ２９は、始端部３３が、上記定滑車部１９のリング部３２に固定され、その後、上記動滑車部２０の滑車２６に掛けまわされて、さらに、定滑車部１９の滑車２４に掛けまわされて、グリップ部１６側に引き出し可能なように、終端部３４がスタータハンドル部３０に固定されている.
【００２６】
従って、本実施の形態に係る肩掛け式の草刈機１０を使用し草刈機作業を行う場合には、上記肩掛けベルト２３を肩にかけ、上記原動部１１を身体の脇側に保持し、例えば、右の手で操作ハンドル部３１を把持すると共に、左の手でスタータハンドル部３０の引き出し操作を行う。
【００２７】
この場合、本実施の形態に係る掛け回し部１８にあっては、図２に示すように、操作者が、スタータハンドル部３０を介して上記延設ロープ２９を操作者側に引張した場合には、延設ロープ２９は定滑車部１９を介して引かれ、その結果、上記動滑車部２０はアーム部１３に沿って定滑車部１９方向へ移動する。この場合、上記動滑車部２０の移動距離寸法は上記延設ロープ２９の引き出し寸法の約１／２となる。
従って、動滑車部２０に接合されたリコイルロープ本体部１５はアーム部１３の先端方向へ引かれることとなり、蓄力式スタータ装置１０に内装された駆動リールを回転させ、蓄力スプリングに蓄力することができる。
【００２８】
本実施の形態にあっては、掛け回し部１８が定滑車部１９と動滑車部２０とにより構成され、延設リロープ２９を引いた場合に、動滑車部２０が定滑車部１９方向に移動することによりリコイルロープ本体１７を引いて蓄力スプリングに蓄力するように構成されていることから、操作者は、リコイルロープ本体部１５を介して延設ロープ２９にかかる、蓄力式スタータ装置１４に内装された蓄力スプリングの荷重を定滑車部１９及び動滑車部２０に分散支持させることができ、滑車を利用して、より容易且つ円滑に蓄力及びエンジンの始動作業を行い、エンジンを始動させて草刈作業を行うことができる。
【００２９】
従って、本実施の形態にあっては、肩掛け式の草刈り機１０を作動させる場合、操作者は上記延設ロープ２９を掛け回し部１８を介して、操作者の方向へ向かって引張することにより蓄力式スタータ装置１０に蓄力することができることから、操作者は手の「屈筋」を使用して操作者自身の方へ引く動作によりリコイルロープを引いてスタータに蓄力することができる。
【００３０】
その結果、従来のように肩掛け式の各種駆動装置におけるように、手を操作者の身体から外方へ離間するように引く、「伸筋」を利用する場合とは異なり、操作者はより腕の力を効率的に使用し、容易にリコイルロープの引き出し操作を行うことができる。その結果、容易かつ迅速にエンジンの始動操作を行うことが可能となる。
また、本実施の形態に係る肩掛け式草刈機１０にあっては、アーム部１３を両手または片手で保持して作業を行うものであるが、上記アーム部１３を一方の手で保持した状態のまま他方の手によりスタータ操作を行いエンジンの始動ができることから、より操作性を向上させることができる。
【００３１】
本実施の形態に係る肩掛け式草刈機１０にあっては、掛け回し部１８が、定滑車部１９及び動滑車部２０により構成されている場合を例に説明したが、上記実施の形態に限定されず、例えば、定滑車部１９のみにより構成されていてもよい。
掛け回し部１８を定滑車部１９のみにより構成した場合には、構成部品点数を低減して製作コストを低減した肩掛け式の草刈機を提供することができる。
また、本実施の形態に係る肩掛け式草刈機１０におけるように、滑車装置が定滑車部１９及び動滑車部２０により構成されている場合には、定滑車部１９のみにより滑車装置を構成し、上記定滑車部１９にリコイルロープを巻装して引張する場合の荷重に比して、動滑車部２０が設けられていることにより、延設ロープ部２９を引く際に操作者の手に作用する荷重は、定滑車部１９のみにより構成し、リコイルロープを上記定滑車部１９のみに巻装した場合の約半分の荷重でリコイルロープの引き操作を行うことができる。
なお、動滑車部２０を設けることなく、上記定滑車部１９のみにより滑車装置を構成しリコイルロープを掛けまわして構成した場合には、操作者に作用する荷重は本実施の形態における場合の２倍となるが、リコイルロープの引き出し量は本実施の形態におけるリコイルロープの引き出し量の半分となる。
従って、「リコイルロープの引き出し量を多くし、引き出し時の荷重を低減する」か、もしくは、「引き出し時の荷重は大きくともリコイルロープの引き出し量を少なくする」か、いずれの選択も可能であり、その選択に応じて、用途、対象とする使用者に対応した製品構成を行うことができる。その結果、製品構成の自由度を確保することが可能となる。
また、本実施の形態にあっては、動滑車部２０が単一の場合を例に説明したが、上記実施の形態に限定されず、動滑車部２０が複数個設けられてもよい。このように動滑車部２０が複数個設けられた場合には、引き出し操作時の操作者に作用する荷重をより低減でき、より軽い操作でエンジンの始動操作を行うことが可能となる。
【００３２】
また、図４及び図５に示すように、上記掛け回し部１８が、上下２段の、異なった半径寸法を有するロープ巻装部３５，３６を持つリール本体５０を有する単一の滑車装置３７により構成されていてもよい。
【００３３】
この滑車装置３７は全体略短円筒状に形成され、リール本体５０と、このリール本体５０を収納する円筒形状のハウジング５１とにより構成されている。
上記リール本体５０は、上下２段構成であって、大径ロープ巻装部３６と、この大径ロープ巻装部３６の上方に形成された小径ロープ巻装部３５とからなり、上記大径ロープ巻装部３６と上記小径ロープ巻装部３５とは一体に形成されて、中央部に貫通して形成された軸孔部４１に挿通される同一の軸部３８を中心に回転するように構成されている。
【００３４】
上記リコイルロープ３９は上記小径ロープ巻装部３５に巻装され、先端部４０は、上記小径ロープ巻装部３５において固定孔部４２に固定されると共に、操作者が引き出し操作する延設ロープ４３は上記大径ロープ巻装部３６に巻装され、後端部４４は小径ロープ巻装部３６に巻装されて固定孔部４５に固定されてリール本体５０の外方へ引き出され、エンジンスタート時には先端部４６は操作者により握持される。
また、上記小径ロープ巻装部３５の直径寸法Ｌ１は上記大径ロープ巻装部３６の直径寸法Ｌ２の半分の大きさに形成されている。
【００３５】
また、上記ハウジング５１の外方には、リール本体５０の接線方向に沿って、上記大径ロープ巻装部３６には延設ロープ４３のガイド突部５２が突設されると共に、上記ガイド突部５２に対して直交するようにリコイルロープ３９のガイド突部５３突設されている。
このガイド突部５２，５３には、夫々、所定の長さ寸法に形成された被服チューブ１７，１７が圧入され、この被服チューブ１７，１７の中に、夫々、リコイルロープ３９と延設ロープ４３が挿通されている。
【００３６】
従って、本実施の形態にあっては、前記実施の形態における場合とは異なり、掛け回し部１８が、異なった半径寸法を有するロープ巻装部３５，３６を持つリール本体５０を有する単一の滑車装置３７により構成されていることから、操作者がエンジン始動時にスタータ操作を行う場合には、上記延設ロープ４３の先端部を握持して図４中、矢印Ａ方向に引くことにより、リール本体５０が軸部３８を中心に回転し、その結果、リコイルロープ３９が矢印Ｂ方向に引かれ、リコイルロープ３９の後端部が接続された駆動リールを回転させ、蓄力スプリングに蓄力させる。
【００３７】
この場合、本実施の形態にあっては、上記のように、上記大径ロープ巻装部３６の直径寸法Ｌ２は上記小径ロープ巻装部３５の直径寸法Ｌ１の２倍の大きさに形成されていることから、操作者が延設ロープ４３を引く際の荷重は、リコイルロープ３９に作用する荷重の約半分となり、操作者はより軽い力で引っ張ることによりスタータ操作を容易に行うことが可能となる。
【００３８】
また、本実施の形態にあっては、前記実施の形態に係る掛け回し部１８とは異なり、動滑車部が設けられておらず、部品点数を削減することができ、より製作コストを低減した状態で、良好なスタータ操作を行うことが可能となる。  
なお、上記各実施の形態にあっては、リコイルロープ本体部１５、リコイルロープ３９及びリコイルロープ本体部１５に接続された延設ロープ２９が操作者の方向へ引張される場合を例に説明したが、上記各実施の形態に限定されず、操作者から離れていく方向へ引張するように構成されていてもよい。
さらに、上記のように、本実施の形態にあっては、上記小径ロープ巻装部３５の直径寸法Ｌ１は上記大径ロープ巻装部３６の直径寸法Ｌ２の半分の大きさに形成されている場合を例に説明したが、上記実施の形態に限定されず、上記小径ロープ巻装部３５の直径寸法Ｌ１と上記大径ロープ巻装部３６の直径寸法Ｌ２とが同一に形成されていてもよい。
上記のように、大径ロープ巻装部３６の直径寸法を小径ロープ巻装部３５の直径寸法と同一にして滑車装置を構成しリコイルロープを掛けまわして構成した場合には、リコイルロープの引き出し操作時に操作者の手に作用する荷重は、本実施の形態における場合の２倍となるが、リコイルロープの引き出し量は本実施の形態におけるリコイルロープの引き出し量の半分となる。
従って、「リコイルロープの引き出し量を多くし、引き出し時の荷重を低減する」か、もしくは、「引き出し時の荷重は大きくともリコイルロープの引き出し量を少なくする」か、いずれの選択も可能であり、その選択に応じて、用途、対象とする使用者に対応した製品構成を行うことができる。その結果、製品構成の自由度を確保することが可能となる。
また、本実施の形態にあっては、上記リコイルロープ３９が巻装される小径ロープ巻装部３５の直径寸法Ｌ１は、延設ロープ４３が巻装される上記大径ロープ巻装部３６の直径寸法Ｌ２の半分の大きさに形成されている場合を例に説明したが、上記実施の形態に限定されず、小径ロープ巻装部３５と大径ロープ巻装部３６との直径の比率に関しては「引き出し操作時の荷重のレベル」と「引き出し操作時の引き出し量」との兼ね合いで、適宜、自由に設定し、様々な構成とすることができる。
【００３９】
また、上記実施の形態にあっては、本発明に係る蓄力式スタータ装置及び駆動式作業機を肩掛け式の草刈機に適用した場合を例に説明したが、上記実施の形態に限定されず、肩掛け式の噴霧器等、地面や床面への定置式ではなく作業者が肩掛け式又は背中に背負って使用する方式の駆動式作業機に広く適用することができる。また、さらに、地面に設置した状態で移動させながら使用する草刈機やブロア等の作業機にも広く適用することができる。
【産業上の利用可能性】
【００４０】
本発明に係る蓄力式スタータ装置は、作業者が背負い又は肩から掛けて保持した状態で使用する駆動式の作業機に広く適用することができる。
【図面の簡単な説明】
【００４１】
【図１】本発明に係る駆動式作業機式を肩掛け式草刈機に適用した実施の形態を示す斜視図である。
【図２】本発明に駆動式作業機式を肩掛け式草刈機に適用した実施の形態を示す斜視図であって、延設ロープ部を引き始めた状態を示す図である。
【図３】本発明に係る駆動式作業機式を肩掛け式草刈機に適用した実施の形態を示す斜視図であって、延設ロープ部を引き始めた状態を示す図である。
【図４】本発明に係る駆動式作業機式に使用されるリコイルロープの掛け回し部の他の実施の形態を示す底面図である。
【図５】本発明に係る駆動式作業機式に使用されるリコイルロープの掛け回し部の他の実施の形態を示す断面図である。
【符号の説明】
【００４２】
１０  肩掛け式草刈機  
１１  原動部
１２  草刈刃
１３  アーム部
１４  蓄力式スタータ装置
１５  リコイルロープ本体部
１６  グリップ部
１７  被覆チューブ
１８  掛け回し部
１９  定滑車部
２０  動滑車部
２１  取付具
２２  フレーム部
２３  肩掛けベルト
２４  滑車
２６  滑車
２７  フレーム部
２９  延設ロープ
３０  スタータハンドル部
３１  操作ハンドル部
３２  リング部
３３  始端部
３４  終端部
３５  小径ロープ巻装部
３６  大径ロープ巻装部
３７  滑車装置
３８  軸部
３９  リコイルロープ
４０  先端部
４１  軸孔部
４２  固定孔部
４３  延設ロープ
４４  後端部
４５  固定孔部
４６  先端部
５０  リール本体
５１  ハウジング
５２  ガイド突部
５３  ガイド突部
【図１】
2007255222.tif 000003
【図２】
2007255222.tif 000004
【図３】
2007255222.tif 000005
【図４】
2007255222.tif 000006
【図５】
2007255222.tif 000007